(57)【要約】      （修正有）【課題】複数のシャボン玉発生部から偏ることなくシャボン玉を発生させることができるシャボン玉発生具を提供する。【解決手段】中空状の発生具本体２と、この発生具本体２に設けられ、発生具本体２内に空気を吹き込む１つの吹込部３と、発生具本体２に複数設けられ、発生具本体２から流入した空気によってシャボン玉が発生するシャボン玉発生部５とを備え、発生具本体２内に、吹込部３から吹き込まれた空気が複数のシャボン玉発生部５に偏ることなく流入させる整流部を設ける。【選択図】図１
0003143417.tif 000002
【実用新案登録請求の範囲】
【請求項１】
中空状の発生具本体と、この発生具本体に設けられ、前記発生具本体内に空気を吹き込む１つの吹込部と、前記発生具本体に複数設けられ、前記発生具本体から流入した空気によってシャボン玉が発生するシャボン玉発生部とを備えたシャボン玉発生具であって、
前記発生具本体内に、前記吹込部から吹き込まれた空気が前記複数のシャボン玉発生部に偏ることなく流入させる整流部を設けたことを特徴とする、シャボン玉発生具。
【請求項２】
前記整流部が、前記発生具本体内に突出する整流板であることを特徴とする、請求項１に記載のシャボン玉発生具。
【請求項３】
前記発生具本体が、円柱状に形成され、この発生具本体の周面に、その径方向外方に延びる前記吹込部が設けられ、前記シャボン玉発生部が、発生具本体の周面に３つ設けられ、これらシャボン玉発生部は、互いに平行に延びると共に、真ん中のシャボン玉発生部が、前記吹込部と同軸上に設けられ、前記整流部が、前記吹込部から吹き込まれた空気が衝突して前記発生具本体内に分散する整流板であることを特徴とする、請求項１又は２に記載のシャボン玉発生具。
【請求項４】
前記発生具本体と前記吹込部と前記シャボン玉発生部とは、一体的に形成され、これら発生具本体、吹込部及びシャボン玉発生部の一部が半割りされた２つの第１部材と第２部材とからなり、これら第１部材及び第２部材との少なくとも一方に、前記整流部が設けられ、かつ、これら第１部材及び第２部材には、互いに着脱可能に係合する係合部が設けられていることを特徴とする、請求項１〜３のずれか１項に記載のシャボン玉発生具。
【考案の詳細な説明】
【技術分野】
【０００１】
本考案は、複数のシャボン玉発生口から偏ることなくシャボン玉を発生させることができるシャボン玉発生具に関するものである。
【背景技術】
【０００２】
シャボン玉発生具は、シャボン玉発生部をシャボン液に付け、吹込口から空気を吹き込むことにより、シャボン玉発生部から多数のシャボン玉が発生するもので、主に子供を対象とする玩具の１つである。シャボン玉発生具としては、種々のものが知られており、この中の１つとしてシャボン玉発生部を複数備えたものが知られている（例えば、特許文献１、２参照。）。特許文献１、２に記載されているシャボン玉発生具は、中空状の発生具本体と、発生具本体の後端部に連通され、吹込口を有する１つの吹込部と、発生具本体の前端部に連通され、シャボン玉を発生させる発生口を有する２つのシャボン玉発生部とからなるもので、２つのシャボン玉発生部の発生口からそれぞれシャボン玉が多数発生するものである。
【特許文献１】実公平７−５６０７５号公報
【特許文献２】実用新案登録第３０５８９０３号公報
【考案の開示】
【考案が解決しようとする課題】
【０００３】
これらの特許文献１、２に記載されているシャボン玉発生具は、空気を吹込口から吹込部を介して発生具本体内に吹き込むことにより、発生具本体内に吹き込まれた空気が２つのシャボン玉発生部にそれぞれ流入して各発生口から空気が噴出されることにより、２つの発生口からシャボン玉がそれぞれ発生するものである。しかし、空気を発生具本体内に単に吹き込むだけでは、発生具本体内から２つのシャボン玉発生部に流入する空気の偏りが生じる。すなわち、一方のシャボン玉発生部へは空気が多く流入するが、他方のシャボン玉発生部へは空気の流入が少なくなる。その結果、一方の発生口から多くのシャボン玉が発生し、他方の発生口からはシャボン玉の発生が少なく、２つの発生口から発生するシャボン玉に偏りがおきるという問題があった。
【０００４】
本考案は、前記課題を解決するためになされたものであって、その目的は、複数のシャボン玉発生部から偏ることなくシャボン玉を発生させることができるシャボン玉発生具を提供することにある。
【課題を解決するための手段】
【０００５】
前記の目的を達成するための本考案に係るシャボン玉発生具は、中空状の発生具本体と、この発生具本体に設けられ、前記発生具本体内に空気を吹き込む１つの吹込部と、前記発生具本体に複数設けられ、前記発生具本体から流入した空気によってシャボン玉が発生するシャボン玉発生部とを備えたシャボン玉発生具であって、前記発生具本体内に、前記吹込部から吹き込まれた空気が前記複数のシャボン玉発生部に偏ることなく流入させる整流部を設けたことを特徴とする。
【０００６】
この考案によれば、発生具本体内に、１つの吹込部から吹き込まれた空気が複数のシャボン玉発生部に偏ることなく流入させる整流部を設けたことで、発生具本体から複数のシャボン玉発生部には空気が偏ることなく流入するので、複数のシャボン玉発生部から偏ることなくシャボン玉を発生させることができる。
【０００７】
本考案に係るシャボン玉発生具において、前記整流部が、前記発生具本体内に突出する整流板であることが好ましい。また、本考案に係るシャボン玉発生具において、前記発生具本体が、円柱状に形成され、この発生具本体の周面に、その径方向外方に延びる前記吹込部が設けられ、前記シャボン玉発生部が、発生具本体の周面に３つ設けられ、これらシャボン玉発生部は、互いに平行に延びると共に、真ん中のシャボン玉発生部が、前記吹込部と同軸上に設けられ、前記整流部が、前記吹込部から吹き込まれた空気が衝突して前記発生具本体内に分散する整流板であることが好ましい。また、本考案に係るシャボン玉発生具において、前記発生具本体と前記吹込部と前記シャボン玉発生部とは、一体的に形成され、これら発生具本体、吹込部及びシャボン玉発生部の一部が半割りされた２つの第１部材と第２部材とからなり、これら第１部材及び第２部材との少なくとも一方に、前記整流部が設けられ、かつ、これら第１部材及び第２部材には、互いに着脱可能に係合する係合部が設けられていることが好ましい。
【考案の効果】
【０００８】
以上説明したように、本考案に係るシャボン玉発生具によれば、発生具本体内に、１つの吹込部から吹き込まれた空気が複数のシャボン玉発生部に偏ることなく流入させる整流部を設けたので、複数のシャボン玉発生部から偏ることなくシャボン玉を発生させることができる。
【考案を実施するための最良の形態】
【０００９】
以下、本考案に係るシャボン玉発生具を添付図面に基づいて詳述する。
【００１０】
図１〜図１０は本考案に係るシャボン玉発生具の一例を示す図である。本考案に係るシャボン玉発生具は、図１〜図１０に示すように、中空状の発生具本体２と、この発生具本体２に設けられ、発生具本体２内に空気を吹き込む１つの吹込部３と、発生具本体２に複数設けられ、発生具本体２から流入した空気によってシャボン玉が発生するシャボン玉発生部５とを備えている。
【００１１】
発生具本体２は、その形状は特に限定されず、例えば、中空円柱状に形成されている。発生具本体２の周面には、その径方向に延びる吹込部３が設けられている。吹込部３は、例えば、発生具本体２に一体的に形成されている円筒部３１と、この円筒部３１の外周に装着されている吹込部材３２とからなる。なお、吹込部３は、円筒部３１のみからなっていてもよい。吹込部３の先端部が吹込口４として形成されている。
【００１２】
また、発生具本体２の周面には、シャボン玉発生部５が複数設けられている。シャボン玉発生部５の数は、２つ以上であれば、特に限定されず、例えば、３つである。これらシャボン玉発生部５は、互いに平行に配置されていると共に、真ん中のシャボン玉発生部５が吹込部３（円筒部３１）と同軸に配置されている。すなわち、真ん中のシャボン玉発生部５と吹込部３とは、発生具本体２の周面に対向して設けられていると共に、直線状に配置されている。シャボン玉発生部５は、例えば、円筒状であって発生具本体２に一体的に形成されている。シャボン玉発生部５の先端部には、シャボン玉発生口６が設けられている。シャボン玉発生部５のシャボン玉発生口６側の外面（周面）には、通気孔１５が設けられている。通気孔１５は、例えば、シャボン玉発生部５の軸方向に延びる細長の矩形状であってシャボン玉発生部５の周方向に９０度間隔で４つ形成されている。
【００１３】
シャボン玉発生口６は、シャボン玉発生部５より径が大きな寸法の円筒状に形成されている。シャボン玉発生口６の内面には、径方向内方に突出する突部６１がシャボン玉発生口６の周方向に所定の間隔をあけて多数設けられている。突部６１は、断面矩形状等どのように形成してもよく、例えば、断面略台形状に形成されている（特に図１２参照。）。また、突部６１は、シャボン玉発生口６の開口部より適宜突出する長さに形成されている。このシャボン玉発生口６をシャボン玉液に浸漬すると、シャボン玉液が突部６１間の溝の毛細管作用によりシャボン玉液がシャボン玉発生口６の内面に膜状に保持されるようになっている。シャボン玉液としは、シャボン玉を発生させることができれば、市販されているシャボン玉液や、石鹸（台所用中性洗剤）、ポリビニルアルコール、グリセリン、砂糖、ガムシロップなどを水で薄めて作ったシャボン液等特に限定されない。
【００１４】
発生具本体２内には、吹込部３から吹き込まれた空気が３つのシャボン玉発生部５に偏ることなく流入させる整流部７が設けられている。整流部７は、発生具本体２内に吹き込まれた空気を３つのシャボン玉発生部５に偏ることなく流入させることができれば、形状、大きさ及び個数は特に限定されず、例えば、整流板８が設けられている。整流板８は、どのように形成してもよく、例えば、矩形平板状に形成されている。この整流板８は、例えば、吹込部３からの空気が衝突して発生具本体２内で略左右に分散するように発生具本体２内の一方の端面の中央部と吹込部３との略中間に１つ立設されている。すなわち、整流板８は、吹込部３から発生具本体２内に吹き込まれる空気の流れ上で、この空気が整流板８の表面に略直角に衝突するように立設されている。また、整流板８には、吹込部３からの空気が発生具本体２内に略均一に左右に分散されるように整流突部８ａを設けるようにしてもよい。整流突部８ａとしては、特に限定されず、例えば、表面円弧状に形成するようにしてもよい。この整流突部８ａは、整流板８の表面の幅方向の略中央部であって高さ方向に延びて形成されている。なお、整流板８を１つ設けたが、２つ以上を設けてもよいし、その形状及び大きさも発生具本体２の大きさや形状によって任意に形成される。また、整流板８は、発生具本体２内の両端面に設けて形成するようにしてもよい。
【００１５】
これら発生具本体２、吹込部３の円筒部３１及びシャボン玉発生部５は、例えば、第１部材１１と第２部材１２との２つの部材からなる。第１部材１１及び第２部材１２は、発生具本体２、円筒部３１及びシャボン玉発生部５の一部が半割りされたものであり、第１部材１１及び第２部材１２を互いに重ね合わせることにより、本考案に係るシャボン玉発生具１が形成される。第１部材１１は、発生具本体２、円筒部３１及びシャボン玉発生部５の発生具本体２側の一部が半割された形状に形成されている。第２部材１２は、発生具本体２、円筒部３１及びシャボン玉発生部５の発生具本体２側の一部が半割されていると共にシャボン玉発生部５の残りを有する形状に形成されている。第１部材１１及び第２部材１２の両方間又はどちらか一方、例えば、第１部材１１の発生具本体２の端面には、整流板８が設けられている。また、第１部材１１及び第２部材１２には、互いに着脱可能に係合する係合部が設けられている。この係合部は、例えば、第１部材１１の３つのシャボン玉発生部５を形成する端部の先端部にそれぞれ設けられている第１係合部２１と、この第１係合部２１と係合すると共に第２部材１２に設けられている第２係合部２２と、第１部材１１及び第２部材１２の円筒部３１の外周に、その周方向に設けられた第３係合部２３と、この第１部材１１及び第２部材１２を重ね合わせた際に形成される吹込部３の外周に装着されると共に、第３係合部２３と係合する吹込部材３２とからなる。
【００１６】
第１係合部２１は、シャボン玉発生部５の直径より小さな直径であって第２係合部２２のシャボン玉発生部５の円形の内に嵌合する半円状に形成されている。第２係合部２２は、シャボン玉発生部５の円形の内面である（図１１参照。）。第３係合部２３は、第１部材１１及び第２部材１２の円筒部３１の外周に、例えば、半円状に突出した凸部である。吹込部材３２は、第１部材１１及び第２部材１２を重ね合わせた際に形成される円筒部３１の外周に装着される円筒状に形成されている。この吹込部材３２の内周面には、吹込部３の外周に装着されたときに、第３係合部２３と係合して吹込部材３２がその円筒部３１から抜け難くする例えば半円状に突出した第４係合部２４が設けられている（図８参照。）。第１係合部２１を第２係合部２２に挿入して嵌合させると共に、第１部材１１と第２部材１２とを互いに重ね合わせてから、この重ね合わせた円筒部３１の外周に吹込部材３２を装着させて第３係合部２３と第４係合部２４とを係合させることにより、第１部材１１と第２部材１２とが係合した状態で重なり合わされてなる本考案に係るシャボン玉発生具１が形成されるようになっている。
【００１７】
また、第１部材１１及び第２部材１２の一方、例えば、第２部材１２の発生具本体２を形成する略円形状の端面に第５係合凸部２５を設けると共に、第１部材１１及び第２部材１２の他方、例えば、第１部材１１の発生具本体２を形成する略円形状の端面に、第５係合凸部２５と係合する第６係合凹部２６を設けるようにしてもよい。第５係合凸部２５及び第６係合凹部２６は、互いに係合すればどのように形成してもよく、例えば、円弧状にそれぞれ形成されている。これにより、第１部材１１と第２部材１２とを互いに確実に重ね合わせることができる。
【００１８】
次に本考案に係るシャボン玉発生具１の作用を説明する。例えば、発生具本体２を手で持って、容器内に収容されているシャボン玉液に各シャボン玉発生口６をそれぞれ浸漬してから持ち上げ、空気を吹込部３から発生具本体２内に吹き込む。このとき、吹込部３の吹込部材３２に、例えば、ストロー等を予め接続させておき、ストローを介して空気を発生具本体２内に吹き込むようにしてもよい。発生具本体２内に吹き込まれた空気は、発生具本体２内から各シャボン玉発生部５に流入してシャボン玉発生口６に至る。この空気によって、シャボン玉発生口６の内面に膜状に保持されているシャボン玉液がシャボン玉発生口６から外部に膨出して、シャボン玉が発生する。このシャボン玉の発生は、シャボン玉発生口６の内面に膜状に保持されているシャボン玉液がなくなるまで行われる。
【００１９】
このように、シャボン玉を発生させる空気は、吹込部３から発生具本体２内に吹き込まれるが、この空気は、発生具本体２内に吹き込まれたときに整流板８に衝突して発生具本体２内で左右に分散し、３つのシャボン玉発生部５に偏ることなくそれぞれ空気が流入する。このため、３つの各シャボン玉発生口６から偏ることなくシャボン玉が発生することになる。
【００２０】
したがって、本考案に係るシャボン玉発生具１は、発生具本体２内に整流板８を設けたことで、発生具本体２から３つのシャボン玉発生部５には空気が偏ることなく流入するので、簡単な構造で３つのシャボン玉発生部５から偏ることなくシャボン玉を発生させることができる。
【００２１】
また、本考案に係るシャボン玉発生具１は、略半割りの第１部材１１及び第２部材１２からなるので、使用後等に清掃が容易である。すなわち、吹込部材３２を円筒部３１から取り外してから、互いに第１係合部２１と第２係合部２２との係合を解除することにより、第１部材１１と第２部材１２とを互いに離間させることができるために、シャボン玉発生具１内が外部に露出するので、容易にしかも清潔に清掃を行える。また、空気を吹き込む吹込部３の円筒部３１も、第１部材１１及び第２部材１２によって略半割にされているので、吹込部３の円筒部３１の内部も清潔に清掃することができる。
【産業上の利用可能性】
【００２２】
以上説明したように本考案に係るシャボン玉発生具は、発生具本体内に、１つの吹込部から吹き込まれた空気が複数のシャボン玉発生部に偏ることなく流入させる整流部を設けたので、複数のシャボン玉発生部から偏ることなくシャボン玉を発生させることができることから、複数のシャボン玉発生部を備えたシャボン玉発生具として好適に用いられるものである。
【図面の簡単な説明】
【００２３】
【図１】本考案に係るシャボン玉発生具の一例を示す斜視図である。
【図２】本考案に係るシャボン玉発生具の一例を示す正面図である。
【図３】本考案に係るシャボン玉発生具の一例を示す背面図である。
【図４】本考案に係るシャボン玉発生具の一例を示す平面図である。
【図５】本考案に係るシャボン玉発生具の一例を示す底面図である。
【図６】本考案に係るシャボン玉発生具の一例を示す右側面図である。
【図７】本考案に係るシャボン玉発生具の一例を示す左側面図である。
【図８】図４中のＡ−Ａ線矢視断面図である。
【図９】本考案に係るシャボン玉発生具の一例を示す分解斜視図である。
【図１０】本考案に係るシャボン玉発生具の一例を示す分解斜視図である。
【図１１】本考案に係る第２部材の一例を示す斜視図である。
【図１２】本考案に係るシャボン玉発生部の一例を示す斜視図である。
【符号の説明】
【００２４】
１  シャボン玉発生具
２  発生具本体
３  吹込部
４  吹込口
５  シャボン玉発生部
６  シャボン玉発生口
７  整流部
８  整流板
１１  第１部材
１２  第２部材
【図１】
0003143417.tif 000003
【図２】
0003143417.tif 000004
【図３】
0003143417.tif 000005
【図４】
0003143417.tif 000006
【図５】
0003143417.tif 000007
【図６】
0003143417.tif 000008
【図７】
0003143417.tif 000009
【図８】
0003143417.tif 000010
【図９】
0003143417.tif 000011
【図１０】
0003143417.tif 000012
【図１１】
0003143417.tif 000013
【図１２】
0003143417.tif 000014